(57)【要約】【課題】シェル体が所望の色に着色しやすく、損傷しにくく、表面に入った傷によって着色やフィルム層が剥がれて傷が目立つこともなく、しかも容易に製造することが可能な硬質かばんを提供すること。【解決手段】この考案の硬質かばんは、透明な合成樹脂で形成するとともにその裏面を塗装した基材１からなるシェル体２を備えたものとしている。前記透明な合成樹脂をポリカーボネート樹脂とすることができる。基材１の裏面が光沢を有する塗料で塗装されたものとすることができる。また、基材１の裏面が液状の塗料を噴霧して塗装されたものとすることができる。【選択図】  図３
0003128526.tif 000002
【実用新案登録請求の範囲】
【請求項１】
透明な合成樹脂で形成するとともにその裏面を塗装した基材（１）からなるシェル体（２）を備えていることを特徴とする硬質かばん。
【請求項２】
透明な合成樹脂をポリカーボネート樹脂とした請求項１記載の硬質かばん。
【請求項３】
基材（１）の裏面が光沢を有する塗料で塗装されたものである請求項１又は２記載の硬質かばん。
【請求項４】
基材（１）の裏面が液状の塗料を噴霧して塗装されたものである請求項１、２又は３記載の硬質かばん。
【考案の詳細な説明】
【技術分野】
【０００１】
この考案は、アタッシュケースや旅行かばん等の硬質かばんに関するものである。
【背景技術】
【０００２】
従来、アタッシュケースや旅行かばん等のシェル体を備えた硬質なかばんが使用されているが、これらは通常、シェル体の材料となる合成樹脂に顔料を加えることで着色したり、又は、表面に着色したフィルム層を熱着させるようにしたりしているため、色の微調整が難しく、思い通りの発色を得ることは非常に困難である。また、顔料や、メタリック材、パール材を加えると強度が低下するため、シェル体が損傷しやすいという問題もあった。しかも、表面に入った傷によって、前記着色やフィルム層が剥がれて、より傷が目立つようにもなっていた。
【０００３】
そのため、特許文献１に記載のような、かばん本体を構成する基材の表面上の少なくとも一部分にフィルム層、発色性を有する粉体塗装層、焼付された透明樹脂層が順番に積層一体化して形成されることにより、表面が思い通りの色で、光沢を発し、且つ傷がつきにくくなった硬質かばんが開発された。しかし、製造工程が複雑になり、製造に要する時間、設備、コストの面で不利になることがあるため、さらなる改善が求められていた。
【特許文献１】特開２００５−２７６９４号公報
【考案の開示】
【考案が解決しようとする課題】
【０００４】
そこで、この考案は、シェル体が所望の色に着色しやすく、損傷しにくく、表面に入った傷によって着色やフィルム層が剥がれて傷が目立つこともなく、しかも容易に製造することが可能な硬質かばんを提供することを課題とする。
【課題を解決するための手段】
【０００５】
この考案の硬質かばんは、透明な合成樹脂で形成するとともにその裏面を塗装した基材１からなるシェル体２を備えたものとしている。
【０００６】
前記透明な合成樹脂をポリカーボネート樹脂とすることができる。
【０００７】
基材１の裏面が光沢を有する塗料で塗装されたものとすることができる。
【０００８】
また、基材１の裏面が液状の塗料を噴霧して塗装されたものとすることができる。
【考案の効果】
【０００９】
この考案の硬質かばんは、上述のような構成を有しており、シェル体２が所望の色に着色しやすく、損傷しにくく、表面に入った傷によって着色やフィルム層が剥がれて傷が目立つこともなく、しかも容易に製造することが可能である。
【００１０】
前記透明な合成樹脂をポリカーボネート樹脂とすれば、耐衝撃性に優れ、変形しにくく、軽量で、しかも、シェル体２の裏面の塗料の鮮やかな発色が損なわれない美しいものとなる。
【００１１】
基材１の裏面が光沢を有する塗料で塗装されたものとすれば、塗料の色が基材１を透過して見え、シェル体２の表面が極めて美しい鮮やかさが感じられるものとなる。
【００１２】
また、基材１の裏面が液状の塗料を噴霧して塗装されたものとすれば、容易にシェル体２を所望の色に着色することができる。
【考案を実施するための最良の形態】
【００１３】
以下、この考案の好適な実施形態を、図面を参照して説明する。
【００１４】
図１はこの考案の実施形態の硬質かばんの斜視図、図２は裏面を塗装する前のシェル体２の基材１の斜視図、図３は裏面を塗装したシェル体２の断面図である。
【００１５】
この硬質かばんは、透明な合成樹脂で形成するとともにその裏面を塗装した基材１からなるシェル体２を備えたものとしている。
【００１６】
この硬質かばんは、図１に示したように、外観の形状は従来の硬質かばんと同様なものとすることができる。図示したものは、キャスタ付旅行かばんとして作製されたものであり、かばん本体を構成する前後のシェル体２の一方の長辺部分がヒンジを介し開閉可能に連結され、他方の長辺部分が開閉可能でロック機構３を備えたものとしている。
【００１７】
前後のシェル体２の基材１は、それぞれ図２に示したように、まず合成樹脂の成形により、周囲に周壁４を有する略四角形状に形成される。基材１は適宜形状の凹凸を設けたものとすることができる。そして、このシェル体２の基材１の裏面に、適宜の色の塗料を使用して塗装を行う。塗装を行うと、図３に示したように、シェル体２の裏面に塗膜５が形成される
各シェル体２の周壁４には、両シェル体２を閉じたときに内部の密閉性を保つための枠状の嵌合部材６が取り付けられる。前側のシェル体２の嵌合部材６は、その内側に後側のシェル体２の嵌合部材が嵌るようになっている。
【００１８】
かばん本体の底部の四隅にはキャスタ７がそれぞれ取り付けてあり、後側のシェル体２の上部と側部にはハンドル８，９、さらにその背面側には伸縮性ハンドル（図示せず）が取り付けられている。
【００１９】
各シェル体２の基材１の材料となる合成樹脂としては、ポリカーボネート樹脂が好適である。ポリカーボネート樹脂は、耐衝撃性に優れ、変形しにくく、軽量であるため、かばんの材料として適当と言うだけでなく、高い透明度が得られ、裏面の塗料の鮮やかな発色が損なわれない。
【００２０】
塗料としては、光沢を有するものが好適である。例えば、メタリック塗装、パール塗装に使用されるような塗料で塗装すれば、塗料の色がポリカーボネート樹脂を透過して見え、シェル体２の表面が極めて美しい鮮やかさが感じられるものとなる。特に、金属色の塗料を使用した場合には、シェル体２の基材１の凹凸やカーブした部分において陰影ができ、基材１の表面の光の反射と相まって、金属で形成されたシェル体２と遜色ない美しさが得られる。
【００２１】
塗装は、液状の塗料を噴霧することにより行うことができる。塗装はシェル体２の全体に均一に塗膜５が形成されるように行うとよいが、完成したかばんにおいて外部に露出しない領域については、塗膜５を形成する必要はない。
【００２２】
なお、シェル体２の機材の材料となる合成樹脂としては、ポリカーボネート樹脂以外にも、ＡＢＳ樹脂その他適宜のものを使用することができる。また、前後のシェル体２のいずれか一方のみの基材１を、透明な合成樹脂で形成するとともにその裏面を塗装したものとすることもできる。
【００２３】
また、シェル体２の裏面は、適宜の内装生地で覆うことにより、塗膜５の露出や、塗料の匂いが周囲に漂うことを防止することができる。その他、この硬質かばんの各部の形状、寸法、材質等は、適宜変更して実施することが可能である。
【図面の簡単な説明】
【００２４】
【図１】この考案の実施形態の硬質かばんの斜視図である。
【図２】この考案の実施形態の硬質かばんの裏面を塗装する前のシェル体の基材の斜視図である。
【図３】この考案の実施形態の硬質かばんの、裏面を塗装したシェル体の断面図である。
【符号の説明】
【００２５】
１  基材
２  シェル体
【図１】
0003128526.tif 000003
【図２】
0003128526.tif 000004
【図３】
0003128526.tif 000005
【手続補正書】
【提出日】平成18年11月1日(2006.11.1)
【手続補正１】
【補正対象書類名】実用新案登録請求の範囲
【補正対象項目名】請求項１
【補正方法】変更
【補正の内容】
【請求項１】
透明な合成樹脂で周囲に周壁（４）を有する略四角形状に形成した基材（１）の裏面を塗装してなるシェル体（２）を備えていることを特徴とする硬質かばん。
【手続補正２】
【補正対象書類名】明細書
【補正対象項目名】０００５
【補正方法】変更
【補正の内容】
【０００５】
この考案の硬質かばんは、透明な合成樹脂で周囲に周壁４を有する略四角形状に形成した基材１の裏面を塗装してなるシェル体２を備えたものとしている。